(57)【要約】      （修正有）【課題】床面に残留している汚れを含んだ洗浄液を安定且つ確実に拭き取ることができるモップホルダ連結金具を提供する。【解決手段】床面の汚れを擦りだし、残される汚れを含んだ洗浄水を吸い取って清掃する清掃装置の後方に取り付けられ、残った洗浄水を拭き取るモップのモップホルダを吸引スクイジーに連結させるためのモップホルダ連結金具１０であって、吸引スクイジーに連結される２本のアーム１１と、これのそれぞれの他方の端部側間を連結する水平支持板１３と、これの中央部上面に立設させる第１の垂直支持板１４を有すると共に、モップホルダの支持部となる円筒体を垂直に挿入し支持するための円柱体１５と、これを接合させる第２の垂直支持板１７を有し、しかも、第１、第２の垂直支持板１４、１７のそれそれの上方平面部で連結する第１、第２の連結支持板１８、１８ａを有する。【選択図】図２
0003172508.tif 000002
【実用新案登録請求の範囲】
【請求項１】
前方に設ける回転ブラシ等で洗浄水を含ませながら床面の汚れを擦りだし、床面に残される汚れを含んだ洗浄水を吸引スクイジーで吸い取って清掃する清掃装置の前記吸引スクイジーの後方に取り付けられ、前記吸引スクイジーでの吸い取りで床面に残った汚れを含んだ洗浄水を拭き取るモップのモップホルダを前記吸引スクイジーに連結させるためのモップホルダ連結金具であって、
前記吸引スクイジーの上面に留め具を介して長方形状平板の長手方向の一方の端部側から切り欠いて設ける切り欠き部で連結される２本のアームと、該アームのそれぞれの他方の端部側間をボルト締めして連結する水平支持板と、該水平支持板の中央部上面から垂直に立設させて固定する第１の垂直支持板を有すると共に、前記モップを取り付けるモップホルダの支持部となる円筒体を垂直に挿入し前記モップホルダを支持するための円柱体と、該円柱体を接合させる第２の垂直支持板を有し、しかも、前記第１の垂直支持板と前記第２の垂直支持板のそれそれの上方平面部でねじ締めして連結する２枚が上下で等間隔を設けて並列する第１の連結支持板と、第２の連結支持板を有することを特徴とするモップホルダ連結金具。
【請求項２】
請求項１記載のモップホルダ連結金具において、前記第１の垂直支持板に取り付けられる前記第１、第２の連結支持板のそれぞれの前記ねじ締め部を支点として前記第２の垂直支持板の下方への落下を制限するストッパーを前記第１の連結支持板の上方近傍の前記第２の垂直支持板の上面に有することを特徴とするモップホルダ連結金具。
【請求項３】
請求項１又は２記載のモップホルダ連結金具において、前記第２の垂直支持板と前記第１の垂直支持板との間に連結させて、前記第２の垂直支持板の下方への押圧力を付加させるバネ体を有することを特徴とするモップホルダ連結金具。
【考案の詳細な説明】
【技術分野】
【０００１】
本考案は、床面を洗浄水を巻き込んでブラシ等で汚れを擦りだし、床面に残された汚れを含んだ洗浄水を吸引スクイジーで吸い取って清掃した後、床面に残った汚れを含んだ洗浄水を拭き取るモップを保持するモップホルダを吸引スクイジーに連結させるためのモップホルダ連結金具に関する。
【背景技術】
【０００２】
従来から床面を清掃する清掃装置には、多くの装置が存在し、病院や、駅等の公共施設や、ビルや、工場建屋等の床面を清掃するのに用いられている。この清掃装置は、通常、装置本体が走行可能であって、前進方向の装置本体前方に回転ブラシ等と、前進方向の装置本体後方に吸引スクイジーを備えている。そして、清掃装置は、本体前進方向の前方の回転ブラシ等で床面の汚れを洗浄水を巻き込んで擦りだしながら前進させて清掃すると共に、後方の吸引スクイジーで床面に残される汚れを含んだ洗浄水を吸引スクイジーで吸い取って清掃するようになっている。
【０００３】
しかしながら、上記のような清掃装置は、吸引スクイジーで吸引するだけでは汚れを含んだ洗浄水を充分に取り切れない上に、床面に微妙な凸凹や、小さな陥没部がある場合には、吸引スクイジーの床面との当接部が床面に追随できないので、床面に汚れを含んだ洗浄水が残ることとなり、その上を歩行する人が滑って転倒するというような問題が発生している。そこで、上記のような清掃装置では、装置の後に人がモップを持って追随し、床面を拭いていくという作業を行っているので、清掃のための労力とコストが掛かるという問題を抱えている。
【０００４】
そこで、従来のモップホルダ連結金具には、モップ装置と清掃装置という発明の名称のもとに、ホルダと、このホルダに着脱されるモップと、このホルダに設けられ任意の清掃装置側への着脱時に機能する取付部と、を具備したことを特徴とするものが提案されている。また、洗浄液散布手段、擦り手段、吸引手段の少なくとも１個を備えた清掃装置において、上記のモップ装置を取り付けたものが提案されている（例えば、特許文献１参照）。
これによれば、床面に残留している汚れを含んだ洗浄液を拭き取る作業を自動化させることを可能にするモップ装置を提供できると共に、そのようなモップ装置を備えた清掃装置を提供することができるとしている。
【先行技術文献】
【特許文献】
【０００５】
【特許文献１】実開平７−１２０５７号公報
【考案の概要】
【考案が解決しようとする課題】
【０００６】
しかしながら、前述したような従来のモップホルダ連結金具は、いまだ解決すべき次のような問題がある。
（１）実開平７−１２０５７号公報で開示されるようなモップホルダ連結金具は、吸引スクイジーとモップとの間に長い平板状のプレートが用いられているので、吸引スクイジーとモップとの間が長く、モップが吸引スクイジーから後に飛び出した形態となり、清掃装置を操作する時に踏んづけたり、躓いたりして危険な作業となっている。
（２）また、実開平７−１２０５７号公報で開示されるようなモップホルダ連結金具は、吸引スクイジーとモップとの間のプレートがヒンジで取り付けられているので、モップの重力不足によってモップの床面に掛かる押圧が低い上に、振動等によって不安定な押圧となり、安定して汚れを含んだ洗浄液を拭き取ることができなくなっている。また、吸引スクイジーとモップとの間のプレートがヒンジで取り付ける場合には、モップの重力不足によってモップが不安定となり、モップがひっくり返ったりして作業が中断する場合が発生している。更に、押圧力を補うためにモップの重さを重くする場合には、清掃装置を操作する時のスムーズな動きが鈍くなり、運転ができない場合が発生している。
【０００７】
本考案は、かかる事情に鑑みてなされたものであって、床面に残留している汚れを含んだ洗浄液を安定且つ確実に拭き取ることができるモップホルダ連結金具を提供することを目的とする。
【課題を解決するための手段】
【０００８】
前記目的に沿う本考案に係るモップホルダ連結金具は、前方に設ける回転ブラシ等で洗浄水を含ませながら床面の汚れを擦りだし、床面に残される汚れを含んだ洗浄水を吸引スクイジーで吸い取って清掃する清掃装置の吸引スクイジーの後方に取り付けられ、吸引スクイジーでの吸い取りで床面に残った汚れを含んだ洗浄水を拭き取るモップのモップホルダを吸引スクイジーに連結させるためのモップホルダ連結金具であって、吸引スクイジーの上面に留め具を介して長方形状平板の長手方向の一方の端部側から切り欠いて設ける切り欠き部で連結される２本のアームと、アームのそれぞれの他方の端部側間をボルト締めして連結する水平支持板と、水平支持板の中央部上面から垂直に立設させて固定する第１の垂直支持板を有すると共に、モップを取り付けるモップホルダの支持部となる円筒体を垂直に挿入しモップホルダを支持するための円柱体と、円柱体を接合させる第２の垂直支持板を有し、しかも、第１の垂直支持板と第２の垂直支持板のそれそれの上方平面部でねじ締めして連結する２枚が上下で等間隔を設けて並列する第１の連結支持板と、第２の連結支持板を有する。
【０００９】
ここで、上記のモップホルダ連結金具は、第１の垂直支持板に取り付けられる第１、第２の連結支持板のそれぞれのねじ締め部を支点として第２の垂直支持板の下方への落下を制限するストッパーを第１の連結支持板の上方近傍の第２の垂直支持板の上面に有するのがよい。
【００１０】
また、上記のモップホルダ連結金具は、第２の垂直支持板と第１の垂直支持板との間に連結させて、第２の垂直支持板の下方への押圧力を付加させるバネ体を有するのがよい。
【考案の効果】
【００１１】
上記本考案のモップホルダ連結金具は、前方に設ける回転ブラシ等で洗浄水を含ませながら床面の汚れを擦りだし、床面に残される汚れを含んだ洗浄水を吸引スクイジーで吸い取って清掃する清掃装置の吸引スクイジーの後方に取り付けられ、吸引スクイジーでの吸い取りで床面に残った汚れを含んだ洗浄水を拭き取るモップのモップホルダを吸引スクイジーに連結させるためのモップホルダ連結金具であって、吸引スクイジーの上面に留め具を介して長方形状平板の長手方向の一方の端部側から切り欠いて設ける切り欠き部で連結される２本のアームと、アームのそれぞれの他方の端部側間をボルト締めして連結する水平支持板と、水平支持板の中央部上面から垂直に立設させて固定する第１の垂直支持板を有すると共に、モップを取り付けるモップホルダの支持部となる円筒体を垂直に挿入しモップホルダを支持するための円柱体と、円柱体を接合させる第２の垂直支持板を有し、しかも、第１の垂直支持板と第２の垂直支持板のそれそれの上方平面部でねじ締めして連結する２枚が上下で等間隔を設けて並列する第１の連結支持板と、第２の連結支持板を有するので、２本のアームに設ける切り欠き部で吸引スクイジーにモップホルダを近接させて取り付けることができると共に、２本のアームでモップホルダを安定且つ強固に取り付けることができてモップホルダを安定して支えることができ、モップを装着するモップホルダでモップを踏みつけることなく汚れを含んだ洗浄液を確実に拭き取ることができる。また、本考案のモップホルダ連結金具は、第２の垂直支持板の固定する円柱体によって、モップホルダの円筒体を垂直に立設させて固定させることができ、モップ自体の床面に掛かる重力を安定させることができる上に、振動等によるモップ自体の跳ね上がりを抑えることができて安定した押圧を床面に掛けることができるので、モップを装着するモップホルダで汚れを含んだ洗浄液を確実に拭き取ることができる。更に、本考案のモップホルダ連結金具は、第１の垂直支持板と第２の垂直支持板間をブリッジ状に連結する第１、第２の連結支持板によって、吸引スクイジーと、モップを取り付けるモップホルダ間を近接させて取り付けることができると共に、モップを装着するモップホルダと床面との間を自在に調整しながら近接させて固定させることができるので、清掃装置を操作する時に踏んづけたり、躓いたりする危険な作業を回避することができると共に、モップを装着するモップホルダで汚れを含んだ洗浄液を確実に拭き取ることができる。また、本考案のモップホルダ連結金具は、２枚が上下で等間隔を設けて並列する第１、第２の連結支持板によって、モップホルダを安定且つ強固に固定させることができ、モップを装着するモップホルダで汚れを含んだ洗浄液を確実に拭き取ることができる。
【００１２】
特に、上記のモップホルダ連結金具は、第１の垂直支持板に取り付けられる第１、第２の連結支持板のそれぞれのねじ締め部を支点として第２の垂直支持板の下方への落下を制限するストッパーを第１の連結支持板の上方近傍の第２の垂直支持板の上面に有するので、清掃装置を作動させない時の移動時の吸引スクイジーを持ち上げる場合に、吸引スクイジー自体、又は第１、第２の連結支持板にワイヤー等を取り付けての持ち上げと同時にモップホルダも容易に持ち上げることができ、効率よく作業を行うことができる。
【００１３】
また、特に、上記のモップホルダ連結金具は、第２の垂直支持板と第１の垂直支持板との間に連結させて、第２の垂直支持板の下方への押圧力を付加させるバネ体を有するので、モップを装着するモップホルダのモップ自体の床面に掛かる重力を絶えず下向きに掛けることができ、汚れを含んだ洗浄液を確実に拭き取ることができる。
【図面の簡単な説明】
【００１４】
【図１】本考案の一実施の形態に係るモップホルダ連結金具を装着した清掃装置の説明図である。
【図２】同モップホルダ連結金具の説明図である。
【考案を実施するための形態】
【００１５】
図１、図２を参照しながら、清掃装置に取り付けられる本考案の一実施の形態に係るモップホルダ連結金具を説明する。
図１に示すように、本考案の一実施の形態に係るモップホルダ連結金具１０は、床面を清掃する清掃装置２０に取り付けられるものである。この清掃装置２０は、前方に設ける回転ブラシ２１等で洗剤を溶かし込んだ洗浄水を含ませながら床面に付着している汚れを擦りだし、床面に残される汚れを含んだ洗浄水を吸引スクイジー２２で吸い取って清掃するものである。
【００１６】
上記の清掃装置２０に使用される回転ブラシ２１や、吸引スクイジー２２は、特にその形状を限定するするものではないが、通常、回転ブラシ２１には円盤状のものが使用され、この円盤状の回転ブラシ２１の直径より吸引スクイジー２２の長さを大きくしている。そして、吸引スクイジー２２は、清掃装置２０の進行方向に対して直線形状や、凹型形状になるような形状にしている。回転ブラシ２１の直径より大きく、進行方向に対して直線形状や、凹型形状となる吸引スクイジー２２は、清掃装置２０の進行で回転ブラシ２１によって擦られる部分の床面に残される汚れを含んだ洗浄水の全ての範囲を含んで吸引スクイジー２２が当接して寄せ集めることができる。特に、凹型形状となる吸引スクイジー２２は、床面に残される汚れを含んだ洗浄水の全ての範囲を含んで吸引スクイジー２２が当接して寄せ集めることができると共に、床面に残される汚れを含んだ洗浄水を吸引スクイジー２２の中心部に寄せ集めることができるようになっている。そして、吸引スクイジー２２で寄せ集められた床面に残される汚れを含んだ洗浄水は、吸引スクイジー２２の中心部上面から延設する吸引ホース２３を介して清掃装置２０の中に設けられている洗浄水回収タンクに回収できるようになっている。
【００１７】
しかしながら、床面に残される汚れを含んだ洗浄水は、吸引スクイジー２２だけでは完全に回収できなく、床面に汚れを含んだ洗浄水が残るので、これを拭き取るために上記のモップホルダ連結金具１０が必要となっている。このモップホルダ連結金具１０は、吸引スクイジー２２の後方に取り付けられ、吸引スクイジー２２での吸い取りで床面に残った汚れを含んだ洗浄水を拭き取る長手方向に長い長円形状のモップ２４を装着するためのモップホルダ２５を吸引スクイジー２２に連結させるためのものである。
【００１８】
図２に示すように、モップホルダ連結金具１０は、清掃装置２０の吸引スクイジー２２の上面に留め具２６を介して連結される２本のアーム１１を有している。このアーム１１は、金属製の長方形状平板からなり、長手方向の一方の端部側から長手方向に沿って奥行き長く切り欠いて設ける長い切り欠き部１２を有している。そして、このアーム１１は、この切り欠き部１２の任意の位置に留め具２６でボルト締めすることで吸引スクイジー２２の上面に連結させることができるようになっている。従って、この長い切り欠き部１２によって、上記のモップ２３は、使用されるモップ２３の幅が何れの大きさであっても、留め具２６でボルト締めする切り欠き部１２の位置を選定することで、モップ２３を吸引スクイジー２２に近接させて連結させることができるようになっている。
【００１９】
また、上記のモップホルダ連結金具１０は、２本のアーム１１のそれぞれの他方の端部側間をボルトとナットで締め付けて連結する金属製の水平支持板１３を有している。この水平支持板１３は、特に、その長さを限定するものではないが、清掃装置２０の吸引スクイジー２２の中央部上面から延設させて設けられている吸引ホース２３を挟んだ位置当たりに設けられている留め具２６間の長さと、２本のアーム１１のそれぞれの他方の端部側をボルトとナットでボルト締めする位置間が略同等となるような長さにするのが好ましい。なお、水平支持板１３の長さは、例え、吸引スクイジー２２の留め具２６間の長さと異なったとしても、２本のそれぞれのアーム１１の水平支持板１３とのボルト締めでの角度を調整することで、吸引スクイジー２２に設けられている留め具２６での締め付け位置に容易に合わせることができるので、殆どの清掃装置２０の吸引スクイジー２２に連結させることができる。
【００２０】
更に、上記のモップホルダ連結金具１０は、上記の水平支持板１３の中央部上面から垂直に立設させて固定する金属製の第１の垂直支持板１４を有している。この第１の垂直支持板１４は、板幅が水平支持板１３の板幅と略同等からなり、一方の端部部分を直角に折り曲げてこの端部部分を水平支持板１３との当接部分とし、互いの板幅を合わせるようにしてねじ締めして固定している。従って、第１の垂直支持板１４は、垂直に立設する平板面が水平支持板１３の長さ方向の平板面に対して直角になるように固定されている。なお、水平支持板１３への第１の垂直支持板１４の固定は、上記のねじ締めに限定するものではなく、例えば、溶接等で接合して固定してもよい。
【００２１】
一方、モップホルダ連結金具１０は、モップ２４を取り付けるモップホルダ２５の筒状の円筒体２７（図１参照）の筒内を垂直に挿入させて固定するための金属製の円柱体１５を有している。この円柱体１５には、長さ方向の中間部の直径方向の両側に突出するバネ押圧式の突起体１６が長円形状のモップ２４の長手方向に対して直角となる方向に設けられている。そして、この突起体１６には、円筒体２７に設けるモップ２４の長手方向に対して直角となる方向に貫通する繋止用孔を嵌め込んだり、突起体１６から取り外したすることで、円筒体２７を着脱自在に取り付けて固定することができるようになっている。この円柱体１５の突起体１６と、円筒体２７の繋止用孔との嵌合によって、モップホルダ２５は、回動を防止できると共に、長手方向を吸引スクイジー２２の長手方向に並列させて取り付けることができる。また、モップホルダ２５は、円柱体１５の突起体１６と、円筒体２７の繋止用孔との嵌合位置を１８０度回転させて取り付けることで、モップホルダ２５に取り付けられるモップ２４の床面との接触部分を容易に前後に入れ替えることができる。なお、上記の円柱体１５は、内部の全てが詰まった状態のものに限定されるものではなく、内部が空洞となった、円筒状のものであってもよい。
【００２２】
また、上記のモップホルダ連結金具１０は、円柱体１５を一方の主面に接合させる金属製平板からなる第２の垂直支持板１７を有している。この円柱体１５は、上方部を第２の垂直支持板１７の一方の主面に当接するようにして溶接等で固定されている。なお、第２の垂直支持板１７に接合される円柱体１５は、上記の直径方向の両側に突出する突起体１６を第２の垂直支持板１７の一方の主面に対して平行になるようにして接合固定されている。
【００２３】
上記のモップホルダ連結金具１０は、第１の垂直支持板１４と、第２の垂直支持板１７のそれぞれの上方平面部でそれぞれの平面部を当接させ、ねじ締めして連結する第１の連結支持板１８と、第２の連結支持板１８ａを有している。この第１の連結支持板１８と、第２の連結支持板１８ａは、２枚のそれぞれが上下で等間隔を設けて平行並列するようにして設けられており、第１の垂直支持板１４と、第２の垂直支持板１７に間に多少の高低差が発生しても、２枚がぶつかり合わないようになっている。モップホルダ連結金具１０は、２枚が平行並列する第１の連結支持板１８と、第２の連結支持板１８ａによって、モップ２４を取り付けたモップホルダ２５を安定且つ強固に固定させることができる。第１の垂直支持板１４と、第２の垂直支持板１７は、それぞれが清掃装置２０の進行方向に対して平面部が垂直になっているので、容易に第１の連結支持板１８と、第２の連結支持板１８ａで連結させることができる。
【００２４】
なお、第１の連結支持板１８及び第２の連結支持板１８ａを取り付ける第１の垂直支持板１４と、第２の垂直支持板１７の主面は、両方が同じ主面側であってもよく、それぞれが互いに異なる主面側であってもよい。また、モップホルダ連結金具１０は、平面視して、円柱体１５の中心点と、水平支持板１３の長さ方向中点を結ぶ線の延長線が清掃装置２０の回転ブラシ２１の略中心点を通る線であるのが好ましい。これによって、清掃装置２０の進行で回転ブラシ２１によって擦られる部分の床面に残される汚れを含んだ洗浄水は、全ての範囲を含んで吸引スクイジー２２が床面に当接して吸引することができると共に、全ての範囲を含んでモップホルダ連結金具１０で取り付けられたモップ２４を当接させて拭き取ることができる。
【００２５】
上記のモップホルダ連結金具１０においては、第１の垂直支持板１４に取り付けられる第１、第２の連結支持板１８、１８ａのそれぞれのねじ締め部を始点として第２の垂直支持板１７の下方への落下を制限するストッパー１９を第１の連結支持板１８の上方近傍の第２の垂直支持板１７の上面に有するのがよい。このモップホルダ連結金具１０は、掃装置２０を作動させないで他所に吸引スクイジー２２を持ち上げて移動する場合に、このストッパー１９が第２の垂直支持板１７と第１の連結支持板１８のねじ締め部を支点としての上方への回動を制限するできるので、吸引スクイジー２２の持ち上げと同時にモップホルダ２５、及びモップ２４の落下を防止して容易に持ち上げることができ、移動を容易にすると共に、次の移動先で吸引スクイジー２２の持ち上げを開放するだけで作業を開始でき、効率よく作業を行うことができる。
【００２６】
上記のモップホルダ連結金具１０においては、第２の垂直支持板１７と第１の垂直支持板１４との間に連結させて、第２の垂直支持板１７の下方への押圧力を付加させるバネ体（図示せず）を有するのがよい。このバネ体は、形状、大きさを限定するものではないが、第２の垂直支持板１７の上方部と、第１の垂直支持板１４の下方部との間を斜めに結ぶんで設けるコイル状バネのようなバネ体が好ましい。このバネ体によって、モップホルダ２５に取り付けられたモップ２４は、床面に絶えず接触できて、汚れを含んだ洗浄液を確実に拭き取ることができる。
【産業上の利用可能性】
【００２７】
本考案のモップホルダ連結金具は、既存の清掃装置に容易に取り付けて、床面に残った汚れを含んだ洗浄水をモップで拭き取り、人の出入りが多い病院や、駅等の公共施設や、ビルや、工場建屋等の床面を効率的に清掃するのに用いることができる。
【符号の説明】
【００２８】
１０：モップホルダ連結金具、１１：アーム、１２：切り欠き部、１３：水平支持板、１４：第１の垂直支持板、１５：円柱体、１６：突起体、１７：第２の垂直支持板、１８：第１の連結支持板、１８ａ：第２の連結支持板、１９：ストッパー、２０：清掃装置、２１：回転ブラシ、２２：吸引スクイジー、２３：吸引ホース、２４：モップ、２５：モップホルダ、２６：留め具、２７：円筒体
【図１】
0003172508.tif 000003
【図２】
0003172508.tif 000004